(57)【要約】【課題】２種類の部品のみで着脱容易に組み立てができ、かつ部品同士を組み立てた後に、部品同士の相対的な位置関係を変えることができる。【解決手段】筒状の第１の接続部が両端に形成された第１の部品と、第１の接続部に着脱可能に嵌合装着される第２の接続部が複数設けられた第２の部品と、を備える。第２の接続部は、長手方向端部の一方が連結され、他方が径方向外側に突出するように設けられる。【選択図】  図４
2014121457.tif 000002
【特許請求の範囲】
【請求項１】
筒状の第１の接続部が両端に形成された第１の部品と、
前記第１の接続部に着脱可能に嵌合装着される第２の接続部が複数設けられた第２の部品と、
を備え、
前記複数の第２の接続部は、長手方向端部の一方が連結され、他方がそれぞれ異なる方向に突出するように設けられることを特徴とする組立玩具。
【請求項２】
請求項１に記載の組立玩具であって、
前記第１の部品は、線材を螺旋状に巻回して形成される
ことを特徴とする組立玩具。
【請求項３】
請求項１に記載の組立玩具であって、
前記第２の接続部は、長手方向にそって線材を略Ｕ字形状に曲げることにより形成され、
前記略Ｕ字形状に曲げられた前記線材の両端のうちの少なくとも１方が連結されることにより、複数の前記第２の接続部が連結されることを特徴とする組立玩具。
【請求項４】
請求項１に記載の組立玩具であって、
前記第２の部品は、隣接する前記第２の接続部が直交するように前記第２の接続部が設けられることを特徴とする組立玩具。
【請求項５】
請求項３に記載の組立玩具であって、
前記第１の接続部の内径は、前記第２の接続部の幅と比べて０．２ｍｍより大きくならないように形成される。
ことを特徴とする組立玩具。
【請求項６】
筒状の第１の接続部と、
長手方向端部の一方が連結され、他方がそれぞれ異なる方向に突出するように設けられた複数の第２の接続部と、
の少なくとも１つを有する組立玩具に用いられる組立部材であって、
前記第１の接続部に前記第２の接続部を嵌め合わせることで前記組立玩具が形成され、
前記第１の接続部と前記第２の接続部との嵌め合いを外すことで前記組立玩具から前記組立部材が取り外されることを特徴とする組立玩具に用いられる組立部材。
【発明の詳細な説明】
【技術分野】
【０００１】
本発明は、組立玩具及び組立玩具に用いられる組立部材に関する。
【背景技術】
【０００２】
特許文献１には、可動玩具の第１の構造体と第２の構造体との間を可動可能に連結するジョイントであって、第１の構造体に着脱可能に取り付けられる第１パーツと、第２の構造体に着脱可能に取り付けられると共に、第１パーツを回動可能に支持する第２パーツと、第２パーツに対する第１パーツの回動位置を任意の回動位置に制止可能に構成された回動制止機構と、を備えた可動玩具のジョイントが開示されている。
【０００３】
また、特許文献２には、連結スタッドと、連結スタッドを摩擦係合で受ける空洞とを有する、組立要素の玩具組立セットが開示されている。特許文献２の玩具組立セットにおいては、空洞は、より低い摩擦で連結スタッドに接触するように適合され、それによって好ましくは誘導機能を有するガイド手段を収容することで、大小の玩具組立要素を、所望の連結力および所望の摩擦で一体に組み立てることができる。
【先行技術文献】
【特許文献】
【０００４】
【特許文献１】特開２００７−５００６４号公報
【特許文献２】特表２００３−５０８１３８号公報
【発明の概要】
【発明が解決しようとする課題】
【０００５】
しかしながら、引用文献１に記載の発明においては、回動制止機構を用いることにより、はじめてジョイントを固定することが可能である。すなわち、引用文献１に記載の発明では、第１パーツ及び第２のパーツのみで第１パーツと第２のパーツとを固定することはできないという問題がある。
【０００６】
また、引用文献１に記載の発明では、ジョイントを構成する第１パーツと第２のパーツとの分解は想定されていない。したがって、引用文献１に記載の発明では、ユーザがジョイントの分解を望んだとしても、ユーザが容易にジョイントを分解することはできない。
【０００７】
引用文献２に記載の発明においては、組立要素同士は着脱可能である。しかしながら、引用文献２に記載の発明では、部品同士を組み立てた後に組立要素を動かすことはできないという問題がある。
【０００８】
本発明はこのような事情に鑑みてなされたもので、２種類の部品のみで着脱容易に組み立てができ、かつ部品同士を組み立てた後に、部品同士の相対的な位置関係を変えることができる組立玩具及び組立玩具に用いられる組立部材を提供することを目的とする。
【課題を解決するための手段】
【０００９】
本発明は上記の目的を達成するためになされたもので、組立玩具は、筒状の第１の接続部が両端に形成された第１の部品と、前記第１の接続部に着脱可能に嵌合装着される第２の接続部が複数設けられた第２の部品と、を備え、前記複数の第２の接続部は、長手方向端部の一方が連結され、他方がそれぞれ異なる方向に突出するように設けられることを特徴とする。これにより、２種類の部品のみで着脱容易に組み立てができ、かつ部品同士を組み立てた後に、部品同士の相対的な位置関係を変えることができる。
【００１０】
ここで、前記第１の部品は、線材を螺旋状に巻回して形成してもよい。これにより、第１の部品と第２の部品との着脱が容易となる。
【００１１】
ここで、前記第２の接続部は、長手方向にそって線材を略Ｕ字形状に曲げることにより形成され、前記略Ｕ字形状に曲げられた前記線材の両端のうちの少なくとも１方が連結されることにより、複数の前記第２の接続部が連結されてもよい。これにより、第２の接続部の幅が変形可能である。したがって、第１の部品と第２の部品との着脱が容易となる。
【００１２】
ここで、前記第２の部品は、隣接する前記第２の接続部が直交するように前記第２の接続部が設けられてもよい。これにより、ユーザが様々な形状の組立玩具を生成することができる。
【００１３】
ここで、前記第１の接続部の内径は、前記第２の接続部の幅と比べて０．２ｍｍより大きくならないように形成されてもよい。これにより、第１の部品と第２の部品との着脱が容易となり、かつ第２の部品が第１の部品から自然に脱落しないようにすることができる。
【００１４】
さらに、組立玩具に用いられる組立部材は、筒状の第１の接続部と、長手方向端部の一方が連結され、他方がそれぞれ異なる方向に突出するように設けられた複数の第２の接続部と、の少なくとも１つを有する組立玩具に用いられる組立部材であって、前記第１の接続部に前記第２の接続部を嵌め合わせることで前記組立玩具が形成され、前記第１の接続部と前記第２の接続部との嵌め合いを外すことで前記組立玩具から前記組立部材が取り外されることを特徴とする。
【発明の効果】
【００１５】
本発明はこのような事情に鑑みてなされたもので、２種類の部品のみで着脱容易に組み立てができ、かつ部品同士を組み立てた後に、部品同士の相対的な位置関係を変えることができる。
【図面の簡単な説明】
【００１６】
【図１】本発明の第１の実施形態に係る組立玩具１の斜視図である。
【図２】（Ａ）はバネ部品の全体図であり、（Ｂ）はバネ部品の部分拡大図である。
【図３】（Ａ）は連結部品の全体斜視図である。
【図４】バネ部品と連結部品との組み立て状態を説明する図であり、（Ａ）は全体図であり、（Ｂ）は部分拡大図である。
【図５】バネ部品の変形例を示す図である。
【図６】連結部品の変形例を示す図である。
【図７】連結部品の他の形態を示す図である。
【図８】連結部品の他の形態を示す図である。
【発明を実施するための形態】
【００１７】
以下、本発明の一実施形態について図面を参照しながら説明する。
【００１８】
＜第１の実施形態＞
図１は、組立玩具１の斜視図である。組立玩具１は、バネ部品１１と、取付部品１２とで構成される。本実施の形態では、組立玩具１は、面の形状が正五角形の正十二面体が組み立てられている。
【００１９】
図２は、バネ部品１１の側面図であり、（Ａ）は全体図、（Ｂ）は連結部品１２との接続部分である接続部１１ａの部分拡大図である。
【００２０】
バネ部品１１は、線材を螺旋上に巻回して形成されたコイルバネである。線材としては、例えば、ステンレス（ＳＵＳ３０４）等の金属を用いることができる。説明上、バネ部品１１の両端の連結部品１２との接続部分を接続部１１ａとし、２個の接続部１１ａの間を連結部１１ｂとする。
【００２１】
接続部１１ａは、図２（Ａ）に示すように、バネ部品１１の両端に設けられる。接続部１１ａの内部には、取付部品１２が嵌め合わされる。接続部１１ａは、図２（Ｂ）に示すように、外側の端の先端部１２ｃの径（内径及び外径）が、連結部１１ｂ側の端の嵌合部１１ｄの径（内径及び外径）より細くなるように形成される。なお、図２（Ｂ）では、左側にある連結部１１ｂが省略されている。
【００２２】
また、接続部１１ａは、組立性をよくするため、先端部１２ｃ及び嵌合部１１ｄが３巻程度、先端部１２ｃと嵌合部１１ｄとの連結部が１．５巻程度で形成される。先端部１２ｃと嵌合部１１ｄとの連結部は、先端部１２ｃと嵌合部１１ｄとが自然につながるようにテーパ形状となっている。
【００２３】
連結部１１ｂは、本実施の形態では、接続部１１ａと連結部１１ｂとで一体のコイルバネを形成している。なお、連結部１１ｂは、バネ部品１１の両端の接続部１１ａを連結すればよく、連結部１１ｂの形状はコイルバネには限られない。
【００２４】
図３は、取付部品１２を示す全体斜視図である。
【００２５】
取付部品１２は、接続部１２ａを複数有する。本実施の形態では、取付部品１２は、接続部１２ａが３個連結されている。本実施の形態では、３個の接続部１２ａが１本の線材から一体形成されている。
【００２６】
接続部１２ａは、線材を略Ｕ字形状に曲げることにより、細長い形状に形成される。接続部１２ａは、長手方向の一方の端部が、他の接続部１２ａと連結される。本実施の形態では、略Ｕ字形状に曲げられた線材の両端のうちの少なくとも１方が、他の接続部１２ａの線材の両端のうちの少なくとも１方と連結されている。
【００２７】
取付部品１２においては、隣接する接続部１２ａが直交している。また、接続部１２ａの長手方向の他の接続部１２ａと連結されていない他の端部が、径方向外側に突出している。本実施の形態では、３個の接続部１２ａにおける、接続部１２ａの略Ｕ字形状のＵ字の底の部分である曲線部分の先端が、３軸方向（ｘ軸、ｙ軸、ｚ軸に相当する方向）にそれぞれ突出するように設けられる。
【００２８】
次に、バネ部品１１及び取付部品１２を組み立てて組立玩具１を作成する、及び組立玩具１をバネ部品１１及び取付部品１２に分解する方法について説明する。
【００２９】
図４は、バネ部品１１と取付部品１２とを１つずつ組み立てた状態を示す図であり、（Ａ）はであり、（Ｂ）は組立部分の部分拡大図である。
【００３０】
取付部品１２の接続部１２ａを、バネ部品１１の接続部１１ａの内部に挿入させる。バネ部品１１はコイル形状であり、径方向及び軸方向に変形可能である。したがって、ユーザが、接続部１２ａを接続部１１ａに挿しやすくすることができる。
【００３１】
接続部１２ａが接続部１１ａに完全に挿入された状態では、図４（Ａ）に示すように、接続部１２ａ全体が接続部１１ａの内側に嵌合される。これにより、バネ部品１１と取付部品１２とが組み立てられる。先端部１１ｃが嵌合部１１ｄよりより細くなっているため、取付部品１２がバネ部品１１から抜けることを防止することができる。
【００３２】
バネ部品１１はコイル形状であり、径方向及び軸方向に変形可能である。したがって、バネ部品１１と取付部品１２とが組み立てられた後に取付部品１２に力がかかったとしても、取付部品１２がバネ部品１１から抜けることを防止することができる。
【００３３】
バネ部品１１から取付部品１２を取り外すときは、接続部１２ａを接続部１１ａから引き抜けばよい。
【００３４】
バネ部品１１と取付部品１２とを組み立てた後で取付部品１２がバネ部品１１から自然に抜けることはなく、かつバネ部品１１から取付部品１２を容易に取り外すことができるためには、接続部１１ａと接続部１２ａとを下の表に示すような寸法で生成する。なお、表における記号は、図４（Ｂ）の記号と対応している。
【００３５】
【表１】
2014121457.tif 000003
【００３６】
接続部１２ａの幅ｚが２．２５ｍｍの場合に、先端部１１ｃの内径ｘが、２．１ｍｍより小さい場合には、接続部１２ａを接続部１１ａに差し込みにくくなり、組立性が低下する。また、接続部１２ａの幅ｚが２．２５ｍｍの場合に、先端部１１ｃの内径ｘが、２．２ｍｍより大きい場合には、取付部品１２がバネ部品１１から抜けやすくなる。したがって、接続部１２ａの幅ｚが２．２５ｍｍの場合には、先端部１１ｃの内径ｘは、２．１ｍｍ以上２．２５ｍｍ以下である必要がある。同様の理由により、接続部１２ａの幅ｚが５．２５ｍｍの場合には、先端部１１ｃの内径ｘは、５．１ｍｍ以上５．２ｍｍ以下である必要がある。
【００３７】
接続部１２ａの幅ｚが２．２５ｍｍの場合に、嵌合部１１ｄの内径ｙが、２．４５ｍｍより大きい場合には、取付部品１２がバネ部品１１から自然と抜ける可能性がある。したがって、接続部１２ａの幅ｚが２．２５ｍｍの場合には、嵌合部１１ｄの内径ｙは２．４５ｍｍ以下である必要がある。同様の理由により、接続部１２ａの幅ｚが５．２５ｍｍの場合には、嵌合部１１ｄの内径ｙは、５．５ｍｍ以下である必要がある。以上より、嵌合部１１ｄの内径ｙは、接続部１２ａの幅ｚと比べて０．２ｍｍより大きくならないように形成されることが望ましい。
【００３８】
なお、接続部１１ａがコイルバネであるため、嵌合部１１ｄの内径ｙが、接続部１２ａの幅ｚが２．２５ｍｍの場合には２．２５ｍｍより小さい場合、接続部１２ａの幅ｚが５．２５ｍｍの場合には５．３ｍｍより小さい場合であっても、接続部１２ａを接続部１１ａに差し込む場合の組立性は低下しない。しかしながら、組み立てた後の見栄えが低下する。したがって、嵌合部１１ｄの内径ｙは、接続部１２ａの幅ｚが２．２５ｍｍの場合には２．２５ｍｍ以上、接続部１２ａの幅ｚが５．２５ｍｍの場合には５．３ｍｍ以上であることが望ましい。
【００３９】
なお、先端部１１ｃの内径は、接続部１２ａの幅より小さい。ただし、バネ部品１１がコイルバネであるため径方向に変形可能であること、及び接続部１２ａが線材の曲げ加工により形成されているため幅方向に変形可能であることから、バネ部品１１と取付部品１２との組立は容易である。
【００４０】
接続部１１ａの内側は略円筒形（端部が細い円筒形）に形成され、接続部１２ａは２本の線で形成されるため、バネ部品１１と取付部品１２とを組み立てた状態において、取付部品１２はバネ部品１１の方向に回転可能である。これにより、バネ部品１１と、取付部品１２の接続部１１ａに挿入されていない接続部１２ａとの相対的な位置関係を変更することができる。図４（Ａ）において接続部１１ａに挿入されていない接続部１２ａにも、バネ部品１１が取り付け可能であるため、バネ部品１１と取付部品１２との相対的な位置関係を変えることで複数のバネ部品１１同士の位置関係を変えることができる。したがって、組立玩具１の組み立てにおける自由度が大きくすることができる。そのため、ユーザが想像力を働かせることができ、ユーザの興味を引き付けることができる。
【００４１】
取付部品１２は線材を用いて形成されている。したがって、隣接する接続部１２ａがなす角度は略９０°であるが、隣接する接続部１２ａ同士の接続部は任意に変形可能である。したがって、組立玩具の状況に応じて隣接する接続部１２ａがなす角度が変更することにより、ユーザが様々な形状の組立玩具を作成することができる。
【００４２】
本実施の形態によれば、２種類の部品であるバネ部品及び組立部品のみで着脱容易に組立玩具を組み立てができる。
【００４３】
また、本実施の形態によれば、バネ部品をコイルバネで形成することにより、取付部品の幅をバネ部品の内径より大きくすることができるため、取付部品を組み立てやすく、かつ抜けにくくすることができる。
【００４４】
さらに、本実施の形態によれば、部品同士を組み立てた後に、部品同士の相対的な位置関係を変えることができる。
【００４５】
また、本実施の形態では、バネ部品を用いて組立玩具を作るため、完成した組立玩具の形状に他の組立玩具にはない特徴を持たせることができる。
【００４６】
なお、本実施の形態では、接続部１１ａと連結部１１ｂとで一体のコイルバネを形成したバネ部品１１を用いたが、バネ部品１１の両端に接続部１１ａが設けられていればよい。図５は、バネ部材の変形例を示す。図５（Ａ）に示すように、両端の接続部１１ａの間を緩やかな螺旋上に巻回した連結部で接続したバネ部品１１Ａを採用することもできる。また、図５（Ｂ）に示すように、両端の接続部１１ａの間を直線の連結部で接続したバネ部品１１Ｂを採用することもできる。
【００４７】
また、本実施の形態では、バネ部品１１は両端に接続部１１ａが設けられたが、バネ部材の一端に接続部１１ａが設けられ、他の端部に複数の接続部１２ａが設けられるようにしてもよい。
【００４８】
また、本実施の形態では、コイルバネとして形成されたバネ部品１１（接続部１１ａ）を用いたが、バネ部品の代わりに、パイプ等の筒状の部品を用いることもできる。筒状の部材に接続部１２ａ（取付部材１２）を取り付けることで、組立玩具を作成することができる。ただし、コイルバネで形成されていない筒状の部材の場合には、径方向及び軸方向に変形することができないため、着脱が容易かつ取付部材が自然に脱落しないという効果を得ることはできない。したがって、取付部品が挿入される部品（取付部品が挿入される取付部のみでもよい）は、コイルバネで形成することが望ましい。
【００４９】
また、本実施の形態では、線材を略Ｕ字形状に曲げた接続部１２ａを用いたが、接続部１２ａの形状はこれに限られない。図６は、接続部１２ａの形状の変形例を示す。図６（Ａ）〜（Ｌ）に示すように、様々な形状の接続部１２１ａ〜１２１ｌを用いることができる。
【００５０】
また、本実施の形態では、接続部１２ａが３個連結された取付部品１２を用いたが、取付部品１２に接続される接続部１２ａの数は３個に限られない。図７は、取付部品１２の接続部１２ａの数が異なる変形例を示す。図７（Ａ）に示すように、２つの接続部１２ａが連結された取付部品１２Ａを用いてもよい（＋ｙ、＋ｚ方向）。図７（Ｂ）に示すように、４つの接続部１２ａが連結された取付部品１２Ｂを用いてもよい（＋ｘ、＋ｙ、＋ｚ、−ｚ方向）。図７（Ｃ）に示すように、６つの接続部１２ａが連結された取付部品１２Ｃを用いてもよい（＋ｘ、−ｘ、＋ｙ、−ｙ、＋ｚ、−ｚ方向）。
【００５１】
また、取付部品１２Ａ、１２Ｂ、１２Ｃは、取付部品１２と同様、隣接する接続部１２ａが直交するように、複数の接続部１２ａが連結されているが、隣接する接続部１２ａと接続部１２ａとの角度は９０°には限られない。
【００５２】
また、本実施の形態では、線材を略Ｕ字形状に曲げた接続部１２ａが連結された取付部品１２を用いたが、取付部品１２の形態はこれに限られない。図８は、線材（又は棒材）をそのまま接続部１２ａとして用いた取付部品１２Ｄを示す図である。取付部品１２Ｄは、線材を略９０°に折り曲げて形成される。接続部１２ｄは、接続部１１ａに挿入しやすいように、先端が細く加工されることが望ましい。
【００５３】
また、本実施の形態では、取付部品１２は線材を用いて形成されたが、取付部品１２を形成するのは線材（または棒材）に限られない。例えば、金属やプラスチックの板材を略Ｕ字形状にした接続部を複数連結して取付部品を形成してもよい。
【００５４】
以上、この発明の実施形態を、図面を参照して詳述してきたが、具体的な構成はこの実施形態に限られるものではなく、この発明の要旨を逸脱しない範囲の設計変更等も含まれる。
【符号の説明】
【００５５】
１：組立玩具、１１：バネ部品、１１ａ：接続部、１１ｂ：連結部、１２：取付部品、１２ａ：接続部
【図１】
2014121457.tif 000004
【図２】
2014121457.tif 000005
【図３】
2014121457.tif 000006
【図４】
2014121457.tif 000007
【図５】
2014121457.tif 000008
【図６】
2014121457.tif 000009
【図７】
2014121457.tif 000010
【図８】
2014121457.tif 000011